(57)【特許請求の範囲】
【請求項１】
クロージャ１内に着脱自在に装着する接続トレイ２であって、光ケーブルの心線ａを導出入する心線導出入部１１と、該心線導出入部１１から入る心線相互を接続したコネクタを収納するコネクタ収納部１２と、心線余長ｄを巻回して収納する心線余長収納部１３とを備えた接続トレイ２を複数枚重ねて構成される心線接続収納トレイ１０を配備する光ケーブル接続用クロージャにおいて、
前記心線接続収納トレイ１０を構成する接続トレイ２が、該接続トレイ２の周側壁に、心線押え片連結用ヒンジ部１４，１４１  を介して複数の心線押え片１５，１５１  を開閉自在に設けて心線接続部ｃと心線余長ｄとをそれぞれ個別に収納できる構成となっており、該心線押え片１５，１５１  と、該心線押え片１５，１５１  を当接する受片１６，１６１  とに対向して係止凹凸部１７，１８を備えると共に、前記心線押え片１５，１５１  によって保持される接続トレイ２内の心線を整形するための指挿入窓２３，２３１  を心線押え片１５，１５１  の閉状態位置に対面して接続トレイ２及び心線押え片１５１  にそれぞれ備えたことを特徴とする光ケーブル接続用クロージャ。
【請求項２】
請求項１に記載の心線接続収納トレイ１０において、前記接続トレイ２の上面を対面するように一対の接続トレイ２，２を観音開き式にトレイ連結用ヒンジ部３により開閉自在に連結して構成されていることを特徴とする光ケーブル接続用クロージャ。
【請求項３】
請求項２に記載の心線接続収納トレイ１０において、前記接続トレイ２，２が、そのトレイ連結用ヒンジ部側に向かって高さを漸減する傾斜側壁を持ったトレイであって、一対の接続トレイ２、２の対向面を接合状態でクサビ状ケースとなる構成としたことを特徴とする光ケーブル接続用クロージャ。
【請求項４】
請求項２または請求項３に記載の心線接続収納トレイ１０において、一対の前記接続トレイ２，２の対向側面に係止爪１９と、該係止爪１９に係脱する回動自在に設けた係止片２０とを備えたことを特徴とする光ケーブル接続用クロージャ。
【発明の詳細な説明】
【０００１】
【発明の属する技術分野】
本発明は、光通信ケーブル、特に光ファイバ心線を有する光ファイバケーブル（以下光ケーブル）の地下または架空区間において、光ケーブル接続点における外被接続並びに地下ケーブルや架空ケーブルなどの光ケーブルとの接続のために用いられて、光ケーブル心線の接続部を保護し心線余長を収納する光ケーブル接続用クロージャに関する。
【０００２】
【従来の技術】
従来より、光ケーブルの分岐、引込、接続などを行う場合、クロージャ内においてケーブル心線相互を接続すると共に、光ケーブル心線の余長分を収納するための心線接続余長収納トレイが用いられている。この心線接続余長収納トレイは、トレイ本体に心線を導出入する部分となる心線導出入部と、その心線導出入部から導出入させる主線用光ケーブルから引き出された光ファイバ心線同士或いは分岐用光ケーブルから引き出された心線とを接続するコネクタ等の接続部が収納されるコネクタ収納部と、さらに接続された心線の余長部分を巻回して保護収納する心線余長収納部とを備えたものが知られている。
【０００３】
【発明が解決しようとする課題】
ところが、光ケーブルを用いた光通信網では光ケーブルの高密度、多心化が進むにつれて心線余長収納部ではその容量が不足しがちになり、クロージャ内での多数枚重ねられた心線接続収納トレイの多様化で心線余長の納まりが悪くなって、心線にストレスが掛ることが多かったり、心線の光損失が生じ伝送特性に悪影響を与えたり接続分岐に伴う作業や配線整理がやりにくいし、さらには増設も簡単には対応できずコンパクト化できないといった問題が生じている。
【０００４】
本発明は、これら従来の事情に鑑みてなされたものであり、光ケーブルの伝送特性に悪影響を与えることなく、光ケーブルの心線接続や切り替え或いは分岐接続作業が容易に実施でき、テープ心線ごとの収納や整理のほか、心線ごとの増減も簡単にでき、しかも増設も楽で、きわめてコンパクトに接続部を収納することができる取扱い簡便な光ケーブル接続用クロージャを安価な形態で提供することを目的とするものである。
【０００５】
【課題を解決するための手段】
上述の課題を解決するために、本発明は、クロージャ内に着脱自在に装着する接続トレイであって、光ケーブルの心線を導出入する心線導出入部と、該心線導出入部から入る心線相互を接続したコネクタを収納するコネクタ収納部と、心線余長を巻回して収納する心線余長収納部とを備えた接続トレイを複数枚重ねて構成される心線接続収納トレイを配備する光ケーブル接続用クロージャにおいて、前記心線接続収納トレイを構成する接続トレイが、該接続トレイの周側壁に心線押え片連結用ヒンジ部を介して複数の心線押え片を開閉自在に設けて心線接続部と心線余長とをそれぞれ個別に収納できる構成となっており、該心線押え片と、該心線押え片を当接する受片と＝対向して係止凹凸部を備えると共に、前記心線押え片によって保持される接続トレイ内の心線を整形するための指挿入窓を心線押え片の閉状態位置に対面して接続トレイおよび心線押え片にそれぞれ備えてある。
【０００６】
また、本発明は、前記心線接続収納トレイにおいて、前記接続トレイの上面を対面するように一対の接続トレイを観音開き式にトレイ連結用ヒンジ部により開閉自在に連結して構成し、この接続トレイの対向側面の対向側面に係止爪と、該係止爪に係脱する回動自在に設けた係止片とを備えた開閉ロック部としたことを特徴としている。
【０００７】
さらに、本発明は、前記心線接続収納トレイにおいて、前記接続トレイがそのトレイ連結用ヒンジ部側に向って高さを漸減する傾斜側壁を持ったトレイとして、この一対の接続トレイの対向面を接合状態でクサビ状ケースとなるように構成して円筒状に重合或いは鉛直に並列配備してなることを特徴とする。
【０００８】
【作用】
本発明の光ケーブル接続用クロージャは、光ケーブルの心線の接続部及び接続余長部分を保護収納する複数の接続トレイがお互いに着脱自在に装着されているので、任意の接続トレイを開いて或いは取り出したりして心線の接続作業や接続状況の点検、確認、調整などをきわめて容易に行うことができる。
また、各接続トレイは、心線接続部は固定しないし、心線余長も曲率半径を確保した上で取り回し心線押え片よって抱き込んで収納できるので、心線余長の吸収に自由度を持たせて納められ、伝送特性に悪影響を及ぼすことがない。
しかも、心線接続作業時に心線押え片を簡便に開閉させて心線余長の取り扱いを容易、確実にでき、トレイ閉塞後に上側の接続トレイを移動させて元の位置に戻しても心線を心線押え片よって抱き込んで光ケーブルの心線に弛みが生じないし、心線に過度に屈曲することがなく曲率半径の小さい円弧状部分をも生じないで収納でき安全な保護ができるし、適正な曲率半径を保ちながら心線の心線導出入部を安全に反転可能な構成となっているので、取り扱い作業が極めて簡便で作業性をも大幅に向上できる。
【０００９】
さらに、心線接続収納トレイの集合体となる接続トレイがクロージャ内に装着することで、隣接される接続トレイと容易に保持でき、またクロージャ内から外して開閉することにより、連結した接続トレイを別個に露出することができ、接続作業や心線接続収納トレイの更新並びに増設が容易にできるし、心線接続収納トレイを構成する接続トレイに指挿入窓を有することにより、心線押え片によって保持される心線を外側から整形することもできて心線接続収納トレイ内での心線収納状態が適正安全に維持でき作業性の信頼性をも高めることができる。
【００１０】
【発明の実施の形態】
本発明の実施例を図面を用いて説明すると、光ケーブル接続クロージャ１は、クロージャ内に固着したフレーム４に複数枚の接続トレイ２からなる心線接続収納トレイ１０を着脱自在に装着配備しているが、該接続トレイ２には、光ファイバ心線を導出入する心線導出入部１１と、該心線導出入部１１から入る心線相互を接続したコネクタを収納するコネクタ収納部１２と、心線余長を巻回して収納する心線余長収納部１３とを備えると共に、この接続トレイ２を複数枚重合して心線接続収納トレイ１０を構成してなるものである。
【００１１】
そして、前記接続トレイ２は、合成樹脂により一体成形された成形品であり、図４乃至図８に示すように、略長方形状の外形を有し、内面側が略同一形状に形成されたもので、接続トレイ２の一対をその上面を対面するように、観音開き式にトレイ連結用ヒンジ部３により開閉自在に連結してなり、それぞれの接続トレイ２，２の周側壁に心線押え片連結用ヒンジ部１４，１４１  を介して複数の心線押え片１５，１５１  を開閉自在に設けて、心線接続部ｃと心線余長ｄとをそれぞれ個別に収納できる構成としてある。
また、前記接続トレイ２の心線導出入部１１のある底板の両側縁部対称位置に係合凹部７，７をそれぞれ対向して設け、各接続トレイ２を重ねた状態において、フレーム４に突設された係合凸部８に着脱自在に嵌挿してなるものである。
【００１２】
なお、前記心線接続収納トレイ１０の接続トレイ２には、心線押え片１５，１５１  と、該心線押え片１５，１５１  を当接する受片１６，１６１  とに対向してロック用の係止凹凸部１７，１８を備えると共に、接続トレイ２の対向側面に係止爪１９と、該係止爪１９に係脱する回動自在に設けた係止片２０とを備えていると共に、前記心線押え片１５，１５１  の閉状態位置に対面して接続トレイ２内の心線を整形するための指挿入窓２３，２３１  を接続トレイ２および心線押え片１５１  に備えてあるが、指挿入窓２３，２３１  は心線ガイド片２１に対向する位置のほか、所定位置を選んで設けることができて心線押え片１５，１５１  を開放しなくても接続トレイ２の外から接続トレイ２内での心線収納状態の調整ができるようになっている。
【００１３】
さらに、前記接続トレイ２が、そのトレイ連結用ヒンジ部３側に向って高さを漸減する傾斜側壁２１  を持ったトレイであって、一対の接続トレイ２，２の対向面を接合状態でクサビ状ケースとなるようにし、フレーム４を介在して、円筒状に重合連接できるようにしてあるが、前記接続トレイ２をフレーム４上にトレイ連結用ヒンジ部３を上側にして鉛直に並列配備することもできる。
【００１４】
前記接続トレイ２には、心線ガイド片２１を適所に備えるほか、フレーム４への取付部２２を設けて、心線余長の収納とトレイ挿脱作業を簡便にできるようにしてある。さらにまた接続トレイ２の内部には心線接続部ｃとなる接続用コネクタが収納保持されるコネクタ収納部１２と、該コネクタ収納部１２に保持された接続用コネクタから導出される心線余長ｄを引き廻し、ループ状に巻回させて保持する心線余長収納部１３とを区画して備え、心線ガイド片２１のある略長方形の接続トレイ２を用いる。
そして、前記クロージャ１内に固着したフレーム４に設けた係合凸部８に前記接続トレイ２を挿脱自在に備えて接続トレイ２に心線接続部と心線余長とを個別収納できる構成とする。
【００１５】
また、前記接続トレイ２に形成した心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるものを選んで用いられる。
さらにコネクタ収納部１２及び心線余長収納部１３は、必要に応じガイドリブ及び側壁を選んで区画してもよいし、心線の浮きを阻止する心線ガイド片２１或いは係止爪を一体成形して、余長の心線や心線接続部となるコネクタを接続トレイ２内に確実に保持できるようにするか、またコネクタ収納部１２或いは心線余長収納部１３のみを区画した接続トレイ２を組合せて一つとした形態としてもよく、各接続トレイ２毎に心線を分離整理収納し、ケーブル挿入部からファイバ心線の曲げが極少で心線収納時のねじれをも防止でき、安全かつ高密度収納で高信頼性が得られるようにする。
【００１６】
この場合、円筒状に重合された接続トレイ２の中から所望の接続トレイ２の係合凹部７を係合凸部８から外せば、クロージャ１内の心線接続収納トレイ１０の構成から引き出せ、該接続トレイ２をヒンジ部３で重ね合せ面を開くことができて、接続トレイ２の内面側が露出されて収納心線の接続配線作業が容易にできる。
【００１７】
さらに、一方の接続トレイ２を他方の接続トレイ２に連結するときは、係合凸部８に係合凹部７を軽く押し込めば、係合凹部７がその押力で弾性変位して、係合凸部８に容易に嵌込まれて連結保持され、接続トレイ２内の心線の点検、修理、接続の各作業が簡便に行うことができる。
【００１８】
なお、前記心線導出入部１１は、片側に設けたシングルタイプに限らず両側に対に設け、即ち四隅に設けたダブルタイプのものを用いることもできるし、しかも合成樹脂の射出成形により、接続トレイ２を略正方形、長方形の四角形または楕円形に形成されるので、コネクタ収納部１２に隣接される心線余長収納部１３には所定間隔に配列される心線ガイド片２１で伝送特性に悪影響が及ばないように心線がなめらかに湾曲したループ状に巻回保持できるように配慮してある。
例えば、前記接続トレイ２には曲率半径３０ｍｍ以上を確保して心線の取り回し、収納ができ、各種の接続部例えば、融着補強スリーブ、メカニカルスプライス、ＭＴコネクタなどの収納可能であって、フレーム４に接続トレイ２を重合し、各トレイ単位で脱着可能に設け、心線余長と心線接続部を個別収納できる。
【００１９】
前記心線接続収納トレイ１０での接続トレイ２は、複数重ね合わせてフレーム４に載置保持され、図２及び図３に示すように二つ割りのスリーブ１１  ，１２  からなる円筒状のクロージャ１内に組み込まれて用いられ、必要に応じ作業台５が収納されるが、該スリーブ１１  ，１２  は、ガスケット６を介して突き合わされヒンジ締結具３０により脱着自在に定着すると共に、フレーム４には光ケーブル把持金具３１と、テンションメンバ把持金具３２とを一体に形成され、前記スリーブ１１  ，１２  の両端面に配置固定できる端面板２５を備えている。
【００２０】
前記スリーブ１１  ，１２  の両端壁嵌合部に嵌装された端面板２５を備えたクロージャ１の例で説明すると、端面板２５にスペーサ２６を介して、主線光ケーブルが貫通されて光ケーブル把持金具３１で固定され、かつ、該光ケーブルのテンションメンバが、テンションメンバ把持金具３２に接続連結されている。そして前記スリーブ１１  ，１２  は、分割接合面にガスケット６を介在して突き合わせ密封結合するが、スリーブ外側に設けたヒンジ部にループ状リングからなるヒンジ締結具３０を掛止めて連結一体化するようになっている。
【００２１】
なお、前記接続トレイ２に設けた係合凹部７は、接続トレイ２が複数重合されたときに係合凸部８に嵌挿して連結固定保持するために用いてもよいし、取付部２２を利用して連結する形態とすることもできる。
【００２２】
また、図９に示すように、前記接続トレイ２の心線取出方向を上面にする方向で水平に、かつトレイ連結用ヒンジ部３を介して開閉自在に蓋片９を装着して、トレイ上面に覆い心線接続の際の心線接続部と心線余長とをコネクタ収納部１２及び心線余長収納部１３を個別に収納する構成としたものとしてもよくクロージャ１内の必要に応じセットされる作業台５に挿脱自在に配備することもできる。
この場合、前記蓋片９と接続トレイ２との両側面部に係止爪１９、係止片２０を備え、接続トレイ２と心線押え片１５１  とに指挿入窓２３，２３１  を設けて心線収納時に心線押え片１５，１５１  を開けなくても接続トレイ２の外から心線整形をして心線収納作業を容易にできるようにしてある。
【００２３】
図１０乃至図１２の実施例では、地下光用クロージャ１内に配備される前記心線接続収納トレイ１０が、接続トレイ２をフレーム４に鉛直に並列配備した形態からなるもので、接続トレイ２の係合凹部７に支杆の係合凸部８を嵌挿して隣接する接続トレイ２を並列連結したものである。
【００２４】
いずれにしても前記接続トレイ２では、心線導出入部１１の一方側から心線ａを入れる場合に、心線余長収納部１３に収納したときは、他方の心線導出入部１１側に出すことができる。
なお、心線導出入部１１の一方側から心線ａを入れて心線余長収納部１３に収納する場合、心線ａの巻回の仕方によって、両方の心線導出入部１１のいずれの側にも出すこともできる。
以上のように、いずれかの心線導出入部１１から心線ａを心線接続収納トレイ２内に入れることができ、かつ心線ａの曲率を小さくすることなく（過負荷を加えることなく）、入口側となった心線導出入部１１と同一の又は異なる心線導出入部１１を出口側として出すことができ、これにより、心線の出入口側を自在として、光ケーブル用クロージャ内での心線の配線の便宜を図ることができる。
【００２５】
そして、心線接続収納トレイ１０としては、前記接続トレイ２、２をトレイ連結用ヒンジ部３で連結した形態としたものを重ね合わせたものとして、光ケーブル用クロージャ１内に順次重合されるようにして実装される（図３及び図１２参照）。この重合された心線接続収納トレイ２は、一つの心線導出入部１１から心線ａを入れ接続部ｃをコネクタ収納部１３に入れ、心線余長を心線余長収納部１３に取り廻しして他方の心線導出入部１１から取り出す配線形態で、各接続トレイ２ごとに行ってクロージャ１内で整理することができる。
即ち、光ケーブル分岐に際し、主線光ケーブルからみて、順方向及び逆方向のどちらの向きに分岐光ケーブルが発生しても心線の接続収納が可能であり、また主線光ケーブルの上部、下部の両方向から分岐光ケーブルへのループ接続も可能であり、接続部の増加にも対応できるし無接続心線或いは保留心線の収納もできる。
【００２６】
【発明の効果】
本発明は、クロージャ内に着脱自在に装着する接続トレイを複数枚重ねて構成される心線接続収納トレイが配備される光ケーブル接続用クロージャにおいて、接続トレイが、接続トレイの周側壁に、心線押え片連結用ヒンジ部を介して複数の心線押え片を開閉自在に設けて心線接続部と心線余長とをそれぞれ個別に収納できる構成となっており、該心線押え片と、該心線押え片を当接する受片とに対向して係止凹凸部を備えると共に、前記心線押え片によって保持される接続トレイ内の心線を整形するための指挿入窓を心線押え片の閉状態位置に対面して接続トレイおよび心線押え片にそれぞれ備えたことで、心線接続部は固定しないし、心線余長も曲率半径を確保した上で取り回し心線押え片よって抱き込んで収納できるので、心線余長の吸収に自由度を持たせて納められ、伝送特性に悪影響を及ぼすことがないし、心線接続収納トレイの構成での係脱が簡便にできて、簡単に重合することもでき、しかも複数枚重ねられた接続トレイは心線導出入部より光ファイバ心線を導出入する心線導出入部と、該心線導出入部から入る心線相互を接続したコネクタを収納するコネクタ収納部と、心線余長を巻回して収納する心線余長収納部とを備えているので、心線接続作業後に任意の接続トレイを開いて収納されている光ファイバ心線を迅速に取り出すことができ、心線識別も容易で接続部の再調整や修理など簡単に行うことができ、作業性を大幅に向上すると共に、各接続トレイを必要なだけ複数に重ねることができると共に、心線接続収納トレイ全体を的確に保持できて安全性も高められる。
【００２７】
また本発明によれば、心線接続作業時に心線押え片を簡便に開閉させて心線余長の取り扱いを容易、確実にでき、トレイ閉塞後に上側の接続トレイを移動させて元の位置に戻しても心線を心線押え片よって抱き込んで光ケーブルの心線に弛みが生じないし、心線に過度に屈曲することがなく曲率半径の小さい円弧状部分をも生じないで収納でき安全な保護ができるし、適正な曲率半径を保ちながら心線の心線導出入部を安全に反転可能な構成となっているので、取り扱い作業が極めて簡便で作業性をも大幅に向上できる。
さらに、開閉式の心線押え片によって接続トレイの内部での心線余長の収納が収まり良くできるし、心線の巻回収納にも余裕があり、しかも心線の保持も緩衝的に行なわれているので、心線に弛みが生じないし、各心線接続収納トレイを展開しても収納した光ファイバの余長部の長さの変化が少ないので、光ファイバの余長部の長さの変化が少なく、光ファイバ心線に無理な屈曲や小円弧が発生することなく光損失をなくして伝送特性を良好に保つことができる。
その上、心線接続収納トレイを構成する接続トレイ内の心線を整形するための指挿入窓を心線押え片の閉状態位置に対面して接続トレイまたは心線押え片に備えたことで、心線押え片によって保持される心線を外側から整形することもできて心線接続収納トレイ内での心線収納状態が適正安全に維持でき作業性の信頼性をも一層高めることができる。
【００２８】
さらに、本発明によれば、接続トレイ内の心線押え片を開閉式とすることで、心線の分岐、引込の際に心線接続収納トレイへの心線導出入の自由度があって、作業上心線接続部へのアクセスが簡便化でき、しかもコネクタを使って接続することにより接続トレイをクロージャ内で自由に着脱でき、任意の接続トレイを独立して交換することもでき管理や組立分解作業も容易に行なえ、かつ高密度・高信頼性が得られる。殊に、必要なだけ多段に積み重ねた接続用トレイ同士が外れたりずれたりすることもなく、簡単確実に結合されて識別容易な心線接続部を持ったクロージャとして安全性を大幅に高め、心線余長収納での高信頼性がえられるし、収納トレイ相互間をネジ止め等することなく脱着でき取扱いも著しく容易化でき、かつコンパクト化が図れる。
【図面の簡単な説明】
【図１】  本発明の実施例の一部切断側面図である。
【図２】  図１の一部切断平面図である。
【図３】  図１の例の正面図で、（ａ）は外観正面図、（ｂ）は図１のＡ−Ａ線における切断正面図である。
【図４】  図１の例の心線接続収納トレイの展開状態を示し（ａ）はその平面図、（ｂ）はａ−ａ線における縦断面図、（ｃ）はヒンジ部の一部拡大側面図である。
【図５】  図４の例の心線接続収納トレイの展開状態を示し、（ａ）はその正面図、（ｂ）は図４のｂ−ｂ線における縦断面図、（ｃ）は図４のｃ−ｃ線における拡大縦断面図、（ｄ）は図４のｄ−ｄ線における拡大縦断面図、（ｅ）は心線押え片の基部の拡大縦断面図である。
【図６】  図５の例の心線押え片の折り畳み状態を示し、（ａ）はその平面図、（ｂ）はその側面図である。
【図７】  図６の例の心線トレイの折り畳み状態を示し、（ａ）はその平面図、（ｂ）はその側面図である。
【図８】  図５の例の使用状態を示す説明平面図である。
【図９】  本発明の心線トレイの他の実施例を示す展開平面図である。
【図１０】  本発明の他の実施例を示す、一部切断側面図である。
【図１１】  図１０の例の側面図である。
【図１２】  図１０の例の正面図で、（ａ）は外観正面図、（ｂ）は図１０のＢ−Ｂ線における切断正面図である。
【符号の説明】
ａ          心線
ｃ          心線接続部
ｄ          心線余長
１          クロージャ
１１  ，１２    スリーブ
２          接続トレイ
２１          傾斜側壁
３          トレイ連結用ヒンジ部
４          フレーム
５          作業台
６          ガスケット
７          係合凹部
８          係合凸部
９          蓋片
１０          心線接続収納トレイ
１１          心線導出入部
１２          コネクタ収納部
１３          心線余長収納部
１４，１４１   心線押え片連結用ヒンジ部
１５，１５１    心線押え片
１６，１６１    受片
１７          係止凹部
１８          係止凸部
１９          係止爪
２０          係止片
２１          心線ガイド片
２２          取付部
２３，２３１    指挿入窓
２５          端面板
２６          スペーサ
３０          ヒンジ締結具
３１          光ケーブル把持金具
３２          テンションメンバ把持金具
【図１】
0004217352.tif 000002
【図２】
0004217352.tif 000003
【図３】
0004217352.tif 000004
【図４】
0004217352.tif 000005
【図５】
0004217352.tif 000006
【図６】
0004217352.tif 000007
【図７】
0004217352.tif 000008
【図８】
0004217352.tif 000009
【図９】
0004217352.tif 000010
【図１０】
0004217352.tif 000011
【図１１】
0004217352.tif 000012
【図１２】
0004217352.tif 000013